(57)【特許請求の範囲】
【請求項１】
電気機器を運転するための運転条件を取得する運転情報取得部と、
前記電気機器の運転に要する期間を示す運転期間情報と、前記電気機器の運転に要する電力量を示す電力量情報とを、前記運転条件に対応付けて記憶する運転情報記憶部と、
時間毎に変化する電力料金を示す電力料金情報を取得する電力料金情報取得部と、
前記運転情報取得部によって取得された前記運転条件に対応する前記運転期間情報と前記電力量情報を前記運転情報記憶部から読み出す運転情報読出部と、
現在時刻を計時する時計部と、
前記電力料金情報取得部によって取得された前記電力料金情報と、前記運転情報読出部によって読み出された前記運転期間情報と前記電力量情報とに基づいて、前記現在時刻から所定時間までの時刻において、前記電気機器を運転した場合に課金される前記電力料金が所定料金以下となる運転開始時刻又は運転終了時刻を算出する運転時刻算出部と、
前記運転時刻算出部によって算出された前記運転開始時刻又は前記運転終了時刻をユーザに報知する報知部とを備える電気機器において、
前記所定時間として、ユーザの起床時間、就寝時間、外出時間、帰宅時間、食事時間等のユーザの生活に基づいた時間の少なくとも１つを前記運転情報記憶部に記憶させる電気機器。
【請求項２】
電気機器を運転するための運転条件を取得する運転情報取得部と、
前記電気機器の運転に要する期間を示す運転期間情報と、前記電気機器の運転に要する電力量を示す電力量情報とを、前記運転条件に対応付けて記憶する運転情報記憶部と、
時間毎に変化する電力料金を示す電力料金情報を取得する電力料金情報取得部と、
前記運転情報取得部によって取得された前記運転条件に対応する前記運転期間情報と前記電力量情報を前記運転情報記憶部から読み出す運転情報読出部と、
現在時刻を計時する時計部と、
前記電力料金情報取得部によって取得された前記電力料金情報と、前記運転情報読出部によって読み出された前記運転期間情報と前記電力量情報とに基づいて、前記現在時刻から所定時間までの時刻において、前記電気機器を運転した場合に課金される前記電力料金が所定料金以下となる運転開始時刻又は運転終了時刻を算出する運転時刻算出部と、
前記運転時刻算出部によって算出された前記運転開始時刻又は前記運転終了時刻をユーザに報知する報知部と、
ユーザが選択した前記運転開始時刻又は前記運転終了時刻を記憶する運転時刻記憶部とを備える電気機器において、
前記運転時刻記憶部に記憶した電気機器の運転履歴情報から前記所定時間を取得して前記運転情報記憶部に記憶させる電気機器。
【請求項３】
電気機器を運転するための運転条件を取得する運転情報取得部と、
前記電気機器の運転に要する期間を示す運転期間情報と、前記電気機器の運転に要する電力量を示す電力量情報とを、前記運転条件に対応付けて記憶する運転情報記憶部と、
時間毎に変化する電力料金を示す電力料金情報を取得する電力料金情報取得部と、
前記運転情報取得部によって取得された前記運転条件に対応する前記運転期間情報と前記電力量情報を前記運転情報記憶部から読み出す運転情報読出部と、
現在時刻を計時する時計部と、
前記電力料金情報取得部によって取得された前記電力料金情報と、前記運転情報読出部によって読み出された前記運転期間情報と前記電力量情報とに基づいて、前記現在時刻から所定時間までの時刻において、前記電気機器を運転した場合に課金される前記電気代が所定料金以下となる運転開始時刻又は運転終了時刻を算出する運転時刻算出部と、
前記運転時刻算出部によって算出された前記運転開始時刻又は前記運転終了時刻をユーザに報知する報知部とを備える電気機器において、
前記電気機器はユーザの行動を検知するセンサ装置と接続し、前記センサ装置で検知したユーザの行動の履歴情報から前記所定時間を取得して前記運転情報記憶部に記憶させる電気機器。
【請求項４】
前記電気機器は、前記運転時刻算出部が算出した前記電気機器を運転した場合に課金される前記電力料金が所定料金以下となる運転開始時刻又は運転終了時刻が複数ある場合、
前記運転時刻算出部によって算出された前記運転開始時刻又は前記運転終了時刻と、前記電力料金情報取得部によって取得された前記電力料金情報と、前記運転情報読出部によって読み出された前記運転期間情報と、前記運転情報読出部によって読み出された前記電力量情報とに基づいて、前記運転時刻算出部によって算出された前記運転開始時刻又は前記運転終了時刻で運転された場合に課金される電気代を算出する電気代算出部と、
前記電気代算出部によって算出された前記電気代の安い順番に前記運転開始時刻又は前記運転終了時刻に対して順位を付与する順位付与部とをさらに備え、
前記報知部は、前記順位付与部によって付与された前記順位とともに前記運転開始時刻又は前記運転終了時刻を報知する請求項１から３のいずれか１項に記載の電気機器。
【請求項５】
前記電気機器は、前記運転時刻算出部が算出した前記電気機器を運転した場合に課金される前記電力料金が所定料金以下となる運転開始時刻又は運転終了時刻が複数ある場合、
前記運転時刻算出部によって算出された前記運転開始時刻又は前記運転終了時刻と、時計部によって計時する現在時刻との時間差を算出する時間差算出部をさらに備え、
前記順位付与部は、前記電気代算出部によって算出された前記電気代と、前記時間差算出部によって算出された前記時間差とに基づいて、前記運転開始時刻又は前記運転終了時刻に対して順位を付与する請求項４載の電気機器。
【請求項６】
電気機器を運転するための運転条件を取得する運転情報取得ステップと、
時間毎に変化する電力料金を示す電力料金情報を取得する電力料金情報取得ステップと、
前記運転情報取得ステップにおいて取得された前記運転条件に対応する前記運転期間情報と前記電力量情報とを、前記運転条件に対応付けて前記運転期間情報と前記電力量情報とを記憶する運転情報記憶部から読み出す運転情報読出ステップと、
前記電力料金情報取得ステップにおいて取得された前記電力料金情報と、前記運転情報読出ステップにおいて読み出された前記運転期間情報と前記電力量情報とに基づいて、現在時刻から所定時間までの時刻において、前記電気機器を運転した場合に課金される前記電力料金が所定料金以下となる運転開始時刻又は運転終了時刻を算出する運転時刻算出ステップと、
前記運転時刻算出ステップにおいて算出された複数の運転開始時刻又は複数の運転終了時刻をユーザに報知する報知ステップとを含む電気機器制御方法において、
前記所定時間として、ユーザの起床時間、就寝時間、外出時間、帰宅時間、食事時間等のユーザの生活に基づいた時間の少なくとも１つを前記運転情報記憶部に記憶させる電気機器の制御方法。
【請求項７】
電気機器を運転するための運転条件を取得する運転情報取得部と、
前記電気機器の運転に要する期間を示す運転期間情報と、前記電気機器の運転に要する電力量を示す電力量情報とを、前記運転条件に対応付けて記憶する運転情報記憶部と、
時間毎に変化する電力料金を示す電力料金情報を取得する電力料金情報取得部と、
前記運転情報取得部によって取得された前記運転条件に対応する前記運転期間情報と前記電力量情報を前記運転情報記憶部から読み出す運転情報読出部と、
現在時刻を計時する時計部と、
前記電力料金情報取得部によって取得された前記電力料金情報と、前記運転情報読出部によって読み出された前記運転期間情報と前記電力量情報とに基づいて、前記現在時刻か
ら所定時間までの時刻において、前記電気機器を運転した場合に課金される前記電力料金が所定料金以下となる運転開始時刻又は運転終了時刻を算出する運転時刻算出部と、
前記運転時刻算出部によって算出された前記運転開始時刻又は前記運転終了時刻をユーザに報知する報知部としてコンピュータを機能させる電気機器制御プログラムにおいて、
前記所定時間として、ユーザの起床時間、就寝時間、外出時間、帰宅時間、食事時間等のユーザの生活に基づいた時間の少なくとも１つを前記運転情報記憶部に記憶させる電気機器制御プログラム。
【請求項８】
電気機器を運転するための運転条件と、前記運転条件に対応する前記電気機器の運転に要する期間を示す運転期間情報と、前記運転条件に対応する前記電気機器の運転に要する電力量を示す電力量情報とを前記電気機器から受信する受信部と、
時間毎に変化する電力料金を示す電力料金情報を取得する電力料金情報取得部と、
前記受信部によって受信された前記運転期間情報と前記電力量情報とを、前記電力料金情報取得部によって取得された前記電力料金情報とに基づいて、現在時刻から所定時間までの時刻において、前記電気機器を運転した場合に課金される前記電力料金が所定料金以下となる運転開始時刻又は運転終了時刻を算出する運転時刻算出部と、
前記運転時刻算出部によって算出された前記運転開始時刻又は前記運転終了時刻をユーザに報知する報知部とを備える電気機器制御装置において、
前記所定時間として、ユーザの起床時間、就寝時間、外出時間、帰宅時間、食事時間等のユーザの生活に基づいた時間の少なくとも１つを前記運転情報記憶部に記憶させる電気機器制御装置。
【発明の詳細な説明】
【技術分野】
【０００１】
本発明は、電気機器の運転開始時刻又は運転終了時刻を制御する電気機器制御装置及び電気機器制御方法及び電気機器に関するものである。
【背景技術】
【０００２】
炊飯器及びエアコンなどの家電機器は、タイマー予約運転機能を備えている。タイマー予約運転機能には以下の２種類がある。
【０００３】
１つめは、希望の時刻をユーザが設定し、設定した時刻になると家電機器が運転を開始するタイマー予約運転である。２つめは、ユーザが設定した時刻になると家電機器が運転を終了する、あるいは、設定した時刻に家電機器が所定の動作を完了するタイマー予約運転である。
【０００４】
１つめの運転開始時刻を設定するタイマー予約運転の例として、食器洗い乾燥機及び生ゴミ処理機のタイマー予約運転がある。これは電力料金が安い夜間の時間帯（２３時〜７時）に運転するようにユーザが運転開始時刻を例えば２３時に設定して、２３時より前にユーザが就寝しても２３時になれば自動的に食器洗い乾燥機や生ゴミ処理機が運転を開始する。
【０００５】
２つめの運転終了時刻を設定するタイマー予約運転の例として、炊飯器及び洗濯乾燥機のタイマー予約運転がある。炊飯器のタイマー予約運転は、食事の時間にあわせてご飯が炊きあがるように炊きあがり終了の時刻を設定する。たとえば、ユーザは、帰宅時間又は起床時間にあわせて炊飯器の運転終了時刻を設定する。
【０００６】
また、洗濯乾燥機のタイマー予約運転は、衣類の洗濯が終了する時刻又は衣類の乾燥が終了する時刻がユーザの都合の良い時間となるように予め設定する。たとえば、ユーザは、帰宅時間又は起床時間にあわせて洗濯乾燥機の運転終了時刻を設定する。
【０００７】
また、空調機器のように、運転を開始するタイマー予約運転と、運転を終了するタイマー予約運転との両方を備える家電機器がある。ユーザは、就寝にあわせてエアコンの運転を終了させる時刻を設定し、起床にあわせてエアコンの運転を開始する時刻を設定する。空調機器によっては、予約した時刻に設定した室温になるように運転を早めに開始するタイマー予約運転を備えた家電機器がある。
【０００８】
以上のように、家電機器の使われ方は、設定した時刻になると家電機器が運転を開始するタイマー予約運転と、ユーザが設定した時刻になると家電機器が運転を終了する、あるいは、設定した時刻に家電機器が所定の動作を完了するタイマー予約運転とが使い分けられている。
【０００９】
本明細書では、後者の、ユーザが設定した時刻になると家電機器が運転を終了する、あるいは、設定した時刻に家電機器が所定の動作を完了するタイマー予約運転を中心に説明するが、設定した時刻に家電機器が所定の動作を開始するタイマー予約運転における発明であってもよい。
【００１０】
ところで、タイマー予約運転において予約時間に幅を持たせ、その時間幅の中で電力料金の安い時間帯に家電機器を運転することにより、電気代を安くする運転方法が考えられ
る。
【００１１】
例えば、家電機器は時間帯別の電力料金に関する情報を記憶しており、ユーザが希望運転終了時刻（又は希望運転開始時刻）を設定して、その設定した時刻より少し早めに運転を終了することで家電機器を運転した場合に課金される電気代が最も安くなるような運転開始時刻を算出して、その運転開始時刻になると運転を開始する。
【００１２】
例えば、特許文献１には、ユーザが機器の運転終了を希望する最も遅い時刻を終了希望最遅時刻として設定し、終了希望最遅時刻となる前にエネルギー消費量上限枠を超えないように機器の運転スケジュールを決定するエネルギー需給調整システムが開示されている。
【先行技術文献】
【特許文献】
【００１３】
【特許文献１】特開２００７−３３６６５５号公報
【発明の概要】
【発明が解決しようとする課題】
【００１４】
特許文献１では、ユーザが電気機器の運転終了を希望する終了希望最遅時刻を入力しなければ電気機器はタイマー予約運転を行わない。
【００１５】
したがって、ユーザがタイマー予約運転を設定するたびに、ユーザは希望時刻の入力を行わなければならない。
【００１６】
すなわち、何時までに電気機器の運転を終了させるのがユーザ自身にとって都合がよいのかを考えなければならなかったので、電力料金の安い時間帯に家電機器を運転するタイマー予約運転をたとえば子供が設定するのが難しくなることが予想される。
【００１７】
本発明は、上記の問題を解決するためになされたもので、ユーザが希望時刻を入力しなくても、その時刻を最適に設定し、電力料金の安い時間帯を算出してユーザに報知し家電機器を運転することができる電気機器、電気機器制御方法、電気機器制御プログラム及び電気機器制御装置を提供することを目的とするものである。
【課題を解決するための手段】
【００１８】
本発明に係る電気機器は、電気機器を運転するための運転条件を取得する運転情報取得部と、前記電気機器の運転に要する期間を示す運転期間情報と、前記電気機器の運転に要する電力量を示す電力量情報とを、前記運転条件に対応付けて記憶する運転情報記憶部と、時間毎に変化する電力料金を示す電力料金情報を取得する電力料金情報取得部と、前記運転情報取得部によって取得された前記運転条件に対応する前記運転期間情報と前記電力量情報を前記運転情報記憶部から読み出す運転情報読出部と、現在時刻を計時する時計部と、前記電力料金情報取得部によって取得された前記電力料金情報と、前記運転情報読出部によって読み出された前記運転期間情報と前記電力量情報とに基づいて、前記現在時刻から所定時間までの時刻において、前記電気機器を運転した場合に課金される前記電力料金が所定料金以下となる運転開始時刻又は運転終了時刻を算出する運転時刻算出部と、前記運転時刻算出部によって算出された前記運転開始時刻又は前記運転終了時刻をユーザに報知する報知部とを備える。そして、前記所定時間として、ユーザの起床時間、就寝時間、外出時間、帰宅時間、食事時間等のユーザの生活に基づいた時間の少なくとも１つを前記運転情報記憶部に記憶させる。
【００１９】
この構成によれば、運転情報取得部は、電気機器を運転するための運転条件を取得する
。運転情報記憶部は、電気機器の運転に要する期間を示す運転期間情報と、電気機器の運転に要する電力量を示す電力量情報とを、運転条件に対応付けて記憶する。電力料金情報取得部は、時間毎に変化する電力料金を示す電力料金情報を取得する。運転情報読出部は、運転期間情報と電力量情報を運転情報記憶部から読み出す。時計部は、現在時刻を計時する。運転時刻算出部は、電力料金情報取得部によって取得された前記電力料金情報と、運転情報読出部によって読み出された運転期間情報と電力量情報とに基づいて、現在時刻から所定時間までの時刻において、電気機器を運転した場合に課金される電力料金が所定料金以下となる運転開始時刻又は運転終了時刻を算出する。報知部は、運転時刻算出部によって算出された運転開始時刻又は運転終了時刻をユーザに報知する。そして、前記所定時間として、ユーザの起床、就寝、外出、帰宅、食事等の生活に基づいた時間の少なくとも１つを前記運転情報記憶部に記憶させる。
【００２０】
したがって、タイマー予約運転を設定するときにユーザが希望運転時刻を入力することなく、最適な所定時間までのあいだで電力料金の安い時間帯に家電機器を運転することができる。ユーザの生活に基づいた時間を考慮して電気機器を運転させることができる。
【発明の効果】
【００２１】
本発明は、タイマー予約運転を設定するときにユーザが希望運転時刻を入力することなく、最適な所定時間までのあいだで電力料金の安い時間帯に家電機器を運転することができる。
【図面の簡単な説明】
【００２２】
【図１】本発明の実施の形態１に係る家電機器の構成を示す図
【図２】本実施の形態１における家電機器の動作について説明するためのフローチャート
【図３】図１のステップＳ６における運転開始時刻算出処理について説明するためのフローチャート
【図４】本実施の形態１において、運転開始時刻算出処理について説明するための模式図
【図５】実施の形態１において、運転開始時刻のそれぞれに対して付与される順位について説明するための図
【図６】報知部によって表示される表示画面の一例を示す図
【図７】報知部によって表示される表示画面の第１の変形例を示す図
【図８】報知部によって表示される表示画面の第２の変形例を示す図
【図９】本実施の形態１における別の家電機器の動作について説明するためのフローチャート
【図１０】本発明の実施の形態２、３に係る家電機器の構成を示す図
【図１１】本実施の形態２、３における家電機器の動作について説明するためのフローチャート
【図１２】実施の形態２において、運転開始時刻のそれぞれに対して付与される順位について説明するための図
【図１３】本実施の形態３において、運転開始時刻算出処理について説明するための模式図
【図１４】実施の形態３において、運転開始時刻のそれぞれに対して付与される順位について説明するための図
【図１５】本発明の実施の形態４に係る家電機器の構成を示す図
【図１６】本実施の形態４において、別の運転開始時刻算出処理について説明するための模式図
【図１７】実施の形態４において、別の運転開始時刻のそれぞれに対して付与される順位について説明するための図
【図１８】本発明の実施の形態５に係る機器制御システムの構成を示す図
【図１９】本実施の形態５において、運転開始時刻算出処理について説明するための模式図
【図２０】実施の形態５において、別の運転開始時刻のそれぞれに対して付与される順位について説明するための図
【図２１】本発明の実施の形態６に係る機器制御システムの構成を示す図
【図２２】本実施の形態６における機器制御システムの動作について説明するためのフローチャート
【発明を実施するための形態】
【００２３】
第１の発明の電気機器は、電気機器を運転するための運転条件を取得する運転情報取得部と、前記電気機器の運転に要する期間を示す運転期間情報と、前記電気機器の運転に要する電力量を示す電力量情報とを、前記運転条件に対応付けて記憶する運転情報記憶部と、時間毎に変化する電力料金を示す電力料金情報を取得する電力料金情報取得部と、前記運転情報取得部によって取得された前記運転条件に対応する前記運転期間情報と前記電力量情報を前記運転情報記憶部から読み出す運転情報読出部と、現在時刻を計時する時計部と、前記電力料金情報取得部によって取得された前記電力料金情報と、前記運転情報読出部によって読み出された前記運転期間情報と前記電力量情報とに基づいて、前記現在時刻から所定時間までの時刻において、前記電気機器を運転した場合に課金される前記電力料金が所定料金以下となる運転開始時刻又は運転終了時刻を算出する運転時刻算出部と、前記運転時刻算出部によって算出された前記運転開始時刻又は前記運転終了時刻をユーザに報知する報知部とを備える電気機器において、前記所定時間として、ユーザの起床時間、就寝時間、外出時間、帰宅時間、食事時間等のユーザの生活に基づいた時間の少なくとも１つを前記運転情報記憶部に記憶させる。
【００２４】
この構成によれば、運転時刻算出部は、電力料金情報と運転期間情報と電力量情報とに基づいて、現在時刻から所定時間までの時刻において、電気機器を運転した場合に課金される電力料金が所定料金以下となる運転開始時刻又は運転終了時刻を算出する。報知部は、運転開始時刻又は運転終了時刻をユーザに報知する。そして、前記所定時間として、ユーザの起床時間、就寝時間、外出時間、帰宅時間、食事時間等のユーザの生活に基づいた時間の少なくとも１つを前記運転情報記憶部に記憶させる。
【００２５】
したがって、タイマー予約運転を設定するときにユーザが希望運転時刻を入力することなく、最適な所定時間までのあいだで電力料金の安い時間帯に家電機器を運転することができる。
【００２６】
第２の発明の電気機器は、電気機器を運転するための運転条件を取得する運転情報取得部と、前記電気機器の運転に要する期間を示す運転期間情報と、前記電気機器の運転に要する電力量を示す電力量情報とを、前記運転条件に対応付けて記憶する運転情報記憶部と、時間毎に変化する電力料金を示す電力料金情報を取得する電力料金情報取得部と、前記運転情報取得部によって取得された前記運転条件に対応する前記運転期間情報と前記電力量情報を前記運転情報記憶部から読み出す運転情報読出部と、現在時刻を計時する時計部と、前記電力料金情報取得部によって取得された前記電力料金情報と、前記運転情報読出部によって読み出された前記運転期間情報と前記電力量情報とに基づいて、前記現在時刻から所定時間までの時刻において、前記電気機器を運転した場合に課金される前記電力料金が所定料金以下となる運転開始時刻又は運転終了時刻を算出する運転時刻算出部と、前記運転時刻算出部によって算出された前記運転開始時刻又は前記運転終了時刻をユーザに報知する報知部と、ユーザが選択した前記運転開始時刻又は前記運転終了時刻を記憶する運転時刻記憶部とを備える電気機器において、前記運転時刻記憶部に記憶した電気機器の運転の履歴情報から前記所定時間を取得して前記運転情報記憶部に記憶させる。
【００２７】
この構成によれば、運転時刻算出部は、電力料金情報と運転期間情報と電力量情報とに基づいて、現在時刻から所定時間までの時刻において、電気機器を運転した場合に課金される電力料金が所定料金以下となる運転開始時刻又は運転終了時刻を算出する。報知部は、運転開始時刻又は運転終了時刻をユーザに報知する。そして、運転時刻記憶部に記憶した運転履歴情報から所定時間を取得して上記のように運転開始時刻または運転終了時刻を算出する。
【００２８】
したがって、タイマー予約運転を設定するときにユーザが希望運転時刻を入力することなく、最適な所定時間までのあいだで電力料金の安い時間帯に家電機器を運転することができる。このとき、ユーザが過去に運転した時刻の履歴情報に基づいて所定時間を取得するので、ユーザがこれまでに実施した時間帯を考慮して電気機器を運転させることができる。
【００２９】
第３の発明の電気機器は、電気機器を運転するための運転条件を取得する運転情報取得部と、前記電気機器の運転に要する期間を示す運転期間情報と、前記電気機器の運転に要する電力量を示す電力量情報とを、前記運転条件に対応付けて記憶する運転情報記憶部と、時間毎に変化する電力料金を示す電力料金情報を取得する電力料金情報取得部と、前記運転情報取得部によって取得された前記運転条件に対応する前記運転期間情報と前記電力量情報を前記運転情報記憶部から読み出す運転情報読出部と、現在時刻を計時する時計部と、前記電力料金情報取得部によって取得された前記電力料金情報と、前記運転情報読出部によって読み出された前記運転期間情報と前記電力量情報とに基づいて、前記現在時刻から所定時間までの時刻において、前記電気機器を運転した場合に課金される前記電力料金が所定料金以下となる運転開始時刻又は運転終了時刻を算出する運転時刻算出部と、前記運転時刻算出部によって算出された前記運転開始時刻又は前記運転終了時刻をユーザに報知する報知部とを備える電気機器において、前記電気機器はユーザの行動を検知するセンサ装置と接続し、センサ装置で検知したユーザの行動の履歴情報から所定時間を取得して運転情報記憶部に記憶させる。
【００３０】
この構成によれば、運転時刻算出部は、電力料金情報と運転期間情報と電力量情報とに基づいて、現在時刻から所定時間までの時刻において、電気機器を運転した場合に課金される電力料金が所定料金以下となる運転開始時刻又は運転終了時刻を算出する。報知部は、運転開始時刻又は運転終了時刻をユーザに報知する。そして、ユーザの行動を検知するセンサ装置と接続し、前記所定時間として、前記センサ装置で検知したユーザの行動の履歴情報を前記運転情報記憶部に記憶させる。
【００３１】
したがって、タイマー予約運転を設定するときにユーザが希望運転時刻を入力することなく、最適な所定時間までのあいだで電力料金の安い時間帯に家電機器を運転することができる。このとき、センサ装置で検知したユーザの行動の履歴情報に基づいて所定時間を取得するのでユーザの行動を考慮して電気機器を運転させることができる。
【００３２】
第４の発明の電気機器は、上記第１から第３の発明のいずれかにおいて、前記運転時刻算出部が算出した前記電気機器を運転した場合に課金される前記電力料金が所定料金以下となる運転開始時刻又は運転終了時刻が複数ある場合、前記運転時刻算出部によって算出された前記運転開始時刻又は前記運転終了時刻と、前記電力料金情報取得部によって取得された前記電力料金情報と、前記運転情報読出部によって読み出された前記運転期間情報と、前記運転情報読出部によって読み出された前記電力量情報とに基づいて、前記運転時刻算出部によって算出された前記運転開始時刻又は前記運転終了時刻で運転された場合に課金される電力料金を算出する電気代算出部と、前記電気代算出部によって算出された前記電力料金の安い順番に前記運転開始時刻又は前記運転終了時刻に対して順位を付与する
順位付与部とをさらに備え、前記報知部は、前記順位付与部によって付与された前記順位とともに前記運転開始時刻又は前記運転終了時刻を報知する。
【００３３】
この構成によれば、運転時刻算出部が算出した運転開始時刻又は運転終了時刻が複数ある場合、順位付与部は、電気代算出部によって算出された電力料金の安い順番に運転開始時刻又は運転終了時刻に対して順位を付与する。報知部は、順位付与部によって付与された順位とともに運転開始時刻又は運転終了時刻を報知する。
【００３４】
したがって、タイマー予約運転を設定するときに、複数の運転開始時刻又は運転終了時刻がある場合に電力料金の安い順番にユーザに提案することができる。
【００３５】
第５の発明の電気機器は、上記第４の発明において、前記運転時刻算出部が算出した前記電気機器を運転した場合に課金される前記電力料金が所定料金以下となる運転開始時刻又は運転終了時刻が複数ある場合、前記運転時刻算出部によって算出された前記運転開始時刻又は前記運転終了時刻と、時計部によって計時する現在時刻との時間差を算出する時間差算出部をさらに備え、前記順位付与部は、前記電気代算出部によって算出された前記電力料金と、前記時間差算出部によって算出された前記時間差とに基づいて、前記運転開始時刻又は前記運転終了時刻に対して順位を付与する。
【００３６】
この構成によれば、時間差算出部は、前記運転開始時刻と、時計部によって計時する現在時刻との時間差を算出する。順位付与部は、電気代算出部によって算出された電力料金と、時間差算出部によって算出された時間差とに基づいて、運転開始時刻又は複数の運転終了時刻に対して順位を付与する。
【００３７】
したがって、電力料金に加えて、現在時刻と運転開始時刻との時間差も考慮して順位が付与されるので、よりユーザの意向に適した運転開始時刻を提案することができる。
【００３８】
第６の発明の電気機器の制御方法は、電気機器を運転するための運転条件を取得する運転情報取得ステップと、時間毎に変化する電力料金を示す電力料金情報を取得する電力料金情報取得ステップと、前記運転情報取得ステップにおいて取得された前記運転条件に対応する前記運転期間情報と前記電力量情報とを、前記運転条件に対応付けて前記運転期間情報と前記電力量情報とを記憶する運転情報記憶部から読み出す運転情報読出ステップと、前記電力料金情報取得ステップにおいて取得された前記電力料金情報と、前記運転情報読出ステップにおいて読み出された前記運転期間情報と前記電力量情報とに基づいて、現在時刻から所定時間までの時刻において、前記電気機器を運転した場合に課金される前記電力料金が所定料金以下となる運転開始時刻又は運転終了時刻を算出する運転時刻算出ステップと、前記運転時刻算出ステップにおいて算出された複数の運転開始時刻又は複数の運転終了時刻をユーザに報知する報知ステップとを含む電気機器制御方法において、前記所定時間として、ユーザの起床時間、就寝時間、外出時間、帰宅時間、食事時間等のユーザの生活に基づいた時間の少なくとも１つを前記運転情報記憶部に記憶させる。
【００３９】
この構成によれば、運転情報取得ステップで、電気機器を運転するための運転条件を取得する。次に、電力料金情報取得部ステップで、時間毎に変化する電力料金を示す電力料金情報を取得する。次に、運転情報読出ステップで、運転期間情報と電力量情報を運転情報記憶部から読み出す。次に、運転時刻算出ステップで、電力料金情報と運転期間情報と電力量情報とに基づいて、現在時刻から所定時間までの時刻において、電気機器を運転した場合に課金される電力料金が所定料金以下となる運転開始時刻又は運転終了時刻を算出する。次に、報知部ステップで、運転開始時刻又は運転終了時刻をユーザに報知する。そして、前記所定時間として、電気機器の運転を許可する時間を前記運転情報記憶部に記憶させる。前記所定時間として、ユーザの起床時間、就寝時間、外出時間、帰宅時間、食事
時間等のユーザの生活に基づいた時間の少なくとも１つを前記運転情報記憶部に記憶させる。
【００４０】
したがって、タイマー予約運転を設定するときにユーザが希望運転時刻を入力することなく、最適な所定時間までのあいだで電力料金の安い時間帯に家電機器を運転することができる。
【００４１】
第７の発明の電気機器の制御プログラムは、電気機器を運転するための運転条件を取得する運転情報取得部と、前記電気機器の運転に要する期間を示す運転期間情報と、前記電気機器の運転に要する電力量を示す電力量情報とを、前記運転条件に対応付けて記憶する運転情報記憶部と、時間毎に変化する電力料金を示す電力料金情報を取得する電力料金情報取得部と、前記運転情報取得部によって取得された前記運転条件に対応する前記運転期間情報と前記電力量情報を前記運転情報記憶部から読み出す運転情報読出部と、現在時刻を計時する時計部と、前記電力料金情報取得部によって取得された前記電力料金情報と、前記運転情報読出部によって読み出された前記運転期間情報と前記電力量情報とに基づいて、前記現在時刻から所定時間までの時刻において、前記電気機器を運転した場合に課金される前記電力料金が所定料金以下となる運転開始時刻又は運転終了時刻を算出する運転時刻算出部と、前記運転時刻算出部によって算出された前記運転開始時刻又は前記運転終了時刻をユーザに報知する報知部としてコンピュータを機能させる電気機器制御プログラムにおいて、前記所定時間として、ユーザの起床時間、就寝時間、外出時間、帰宅時間、食事時間等のユーザの生活に基づいた時間の少なくとも１つを前記運転情報記憶部に記憶させる。
【００４２】
したがって、タイマー予約運転を設定するときにユーザが希望運転時刻を入力することなく、最適な所定時間までのあいだで電力料金の安い時間帯に家電機器を運転することができる。
【００４３】
第８の発明の電気機器制御装置は、電気機器を運転するための運転条件と、前記運転条件に対応する前記電気機器の運転に要する期間を示す運転期間情報と、前記運転条件に対応する前記電気機器の運転に要する電力量を示す電力量情報とを前記電気機器から受信する受信部と、時間毎に変化する電力料金を示す電力料金情報を取得する電力料金情報取得部と、前記受信部によって受信された前記運転期間情報と前記電力量情報とを、前記電力料金情報取得部によって取得された前記電力料金情報とに基づいて、現在時刻から所定時間までの時刻において、前記電気機器を運転した場合に課金される前記電力料金が所定料金以下となる運転開始時刻又は運転終了時刻を算出する運転時刻算出部と、前記運転時刻算出部によって算出された前記運転開始時刻又は前記運転終了時刻をユーザに報知する報知部とを備える電気機器制御装置において、前記所定時間として、ユーザの起床時間、就寝時間、外出時間、帰宅時間、食事時間等のユーザの生活に基づいた時間の少なくとも１つを前記運転情報記憶部に記憶させる。
【００４４】
この構成によれば、運転時刻算出部は、電力料金情報と運転期間情報と電力量情報とに基づいて、現在時刻から所定時間までの時刻において、電気機器を運転した場合に課金される電力料金が所定料金以下となる運転開始時刻又は運転終了時刻を算出する。報知部は、運転開始時刻又は運転終了時刻をユーザに報知する。そして、前記所定時間として、ユーザの生活に基づいた時間の少なくとも１つを前記運転情報記憶部に記憶させる。
【００４５】
したがって、タイマー予約運転を設定するときにユーザが希望運転時刻を入力することなく、最適な所定時間までのあいだで電力料金の安い時間帯に家電機器を運転することができる。
【００４６】
以下添付図面を参照しながら、本発明の実施の形態について説明する。尚、以下の実施の形態は、本発明を具体化した一例であって、本発明の技術的範囲を限定する性格のものではない。
【００４７】
（実施の形態１）
図１は、本発明の実施の形態１に係る家電機器の構成を示す図である。図１に示す家電機器１は、運転情報取得部１１、運転情報記憶部１２、運転情報読出部１３、通信部１４、電力料金情報取得部１５、運転時刻算出部１６、電気代算出部１７、順位付与部１８、報知部１９、運転時刻選択受付部２０、運転時刻記憶部２１、時計部２２及び運転制御部２３、所定時間設定部２５を備える。
【００４８】
家電機器１は、例えば、洗濯乾燥機、炊飯器、電気給湯機、生ごみ処理機及び食器洗い機などである。
【００４９】
運転情報取得部１１は、例えばユーザが家電機器１を操作するためのスイッチ、キーボード又はタッチパネルなどで構成され、家電機器１を運転するための運転条件と、ユーザが希望する家電機器１の希望運転終了時刻（又は希望運転開始時刻）を示す希望運転時刻とを取得する。希望運転時刻は運転情報取得部１１によってユーザが設定することができるが、ユーザが設定しなくても所定時間設定部２５で予め設定し運転情報記憶部１２に記憶している所定時間を取得して、これを希望運転時刻として用いてもよい。これについては後述する。
【００５０】
また、運転条件は、例えば家電機器１が洗濯乾燥機であれば、標準洗いモード、しっかり洗いモード、洗濯モード、脱水モード及び乾燥モードなどの運転モードである。また、洗濯する衣類の重量を重量センサから取得してもよい。
【００５１】
運転情報取得部１１は、取得した運転条件を運転情報読出部１３へ出力し、取得した希望運転時刻を運転時刻算出部１６へ出力する。
【００５２】
運転情報記憶部１２は、家電機器１の運転に要する期間（運転時間）を示す運転期間情報と、家電機器１の運転に要する電力量を示す電力量情報とを運転条件に対応付けて記憶する。なお、運転情報記憶部１２は、運転条件に対応付けた運転期間情報及び電力量情報を予め記憶しているが、本発明は特にこれに限定されず、運転条件に対応付けた運転期間情報及び電力量情報を後述する通信部１４を介して外部サーバから取得してもよい。
【００５３】
運転情報読出部１３は、運転情報取得部１１によって取得された運転条件に対応する運転期間情報と、運転情報取得部１１によって取得された運転条件に対応する電力量情報とを運転情報記憶部１２から読み出す。
【００５４】
通信部１４は、ネットワークを介して外部サーバと接続し、情報を送受信する。
【００５５】
電力料金情報取得部１５は、通信部１４を介して、時間毎に変化する電力料金を示す電力料金情報を取得する。電力料金情報は、例えば電力会社から提供される。電力料金情報取得部１５は、例えば前日に当日の電力料金情報を取得し、内部のメモリに記憶する。
【００５６】
電力料金情報は、２４時間分の１ｋＷｈ当たりの電力料金の変動を表す。電力料金はたとえば１時間毎に、時間に応じて変動している。これは、家電機器のある家庭に太陽電池及び燃料電池等の電力供給源が設置されることや、蓄電池が設置されることで家庭への電気の供給体制が大きく変わることからリアルタイムに電気代が変動するリアルタイムプライシングが反映されたものである。
【００５７】
リアルタイムプライシングとは、一般に、事前に電力会社から通知される電力料金情報を示し、太陽光発電、風力発電などの発電量や電力需要に応じて変化する。また、リアルタイムプライシングとは、電力会社からの電力料金情報だけでなく、それに加えて家庭内の電力供給源及び蓄電池等の機器運用情報、買電力料金情報及び売電力料金情報の過去の実績から作成される電力料金情報を示す場合もある。
【００５８】
以上のように、電力料金情報は、電力会社からの電力料金情報だけでなく、機器運用情報、買電力料金情報及び売電力料金情報の過去の実績から作成される、ある家庭だけで適応される電力料金情報であってもよい。要は、時間に依存して変動する電力料金がわかればよいのであって、その情報の入手方法は問わない。
【００５９】
運転時刻算出部１６は、運転情報取得部１１によって取得された希望運転時刻と、電力料金情報取得部１５によって取得された電力料金情報と、運転情報読出部１３によって読み出された運転期間情報とに基づいて、現在時刻から希望運転時刻までのあいだで電気代が所定料金以下となる運転開始時刻を算出する。
【００６０】
ここで、所定料金とはユーザが家電機器１を１回使用するのに支払っても良いと思われる金額で、たとえば、リアルタイムプライシングを反映させない条件で家電機器１を運転させたときの通常の電気代である。
【００６１】
電気代算出部１７は、運転時刻算出部１６によって算出された運転開始時刻と、電力料金情報取得部１５によって取得された電力料金情報と、運転情報読出部１３によって読み出された運転期間情報と、運転情報読出部１３によって読み出された電力量情報とに基づいて、運転時刻算出部１６によって算出された運転開始時刻で家電機器１が運転された場合に課金される電気代を算出する。運転時刻算出部１６によって算出された運転開始時刻は複数であってもよい。
【００６２】
順位付与部１８は、電気代算出部１７によって算出された電気代の安い順番に複数の運転開始時刻に対して順位を付与する。
【００６３】
報知部１９は、例えば液晶表示部で構成され、運転時刻算出部１６によって算出された運転開始時刻をユーザに報知する。なお、報知部１９は、順位付与部１８によって付与された順位とともに運転開始時刻を報知する。なお、順位付与部１８を省いて、電気代の安い順位を付与せず報知しない構成でもよい。
【００６４】
なお、本実施の形態１において、報知部１９は、表示部で構成されているが、本発明は特にこれに限定されず、報知部１９は、音声を出力する音声出力部、及び家電機器１に接続された表示装置へ出力する出力部を含んでもよい。
【００６５】
運転時刻選択受付部２０は、報知部１９によって報知された複数の運転開始時刻の中から、ユーザが所望する運転開始時刻の選択を受け付ける。
【００６６】
運転時刻記憶部２１は、運転時刻選択受付部２０によって受け付けられた運転開始時刻を記憶する。時計部２２は、時間を計る。運転制御部２３は、時計部２２を参照し、運転時刻記憶部２１に記憶されている運転開始時刻に基づいて、家電機器１の運転を制御する。すなわち、運転制御部２３は、現在時刻が運転時刻記憶部２１に記憶された運転開始時刻になると開始信号を出力し、家電機器１の運転を開始するよう制御する。
【００６７】
次に、本実施の形態１における家電機器の動作について説明する。
【００６８】
図２は、本実施の形態１における家電機器の動作について説明するためのフローチャートである。
【００６９】
まず、ステップＳ１において、運転情報取得部１１は、家電機器１を運転するための運転条件と、ユーザが希望する家電機器１の希望運転終了時刻（又は希望運転開始時刻）を示す希望運転時刻とを受け付けて取得する。
【００７０】
ユーザは、家電機器１を運転するための運転条件を入力する。例えば、家電機器１が洗濯乾燥機であれば、運転情報取得部１１は、ユーザによって選択された洗濯コース（標準コース、省エネコース及び時短コースなど）を運転条件として取得する。
【００７１】
特に、家電機器１が洗濯乾燥機であれば、運転の最中に複数の工程（例えば、洗濯工程、脱水工程及び乾燥工程など）が順次行われるので、運転条件は複雑なものとなる。運転情報取得部１１は、洗濯コース、洗濯衣類の重量、及び水温や外気温等のセンサ結果を運転条件として取得する。
【００７２】
また、ユーザは、家電機器１の希望運転終了時刻（又は希望運転開始時刻）を入力する。ユーザは、例えば“１８：００”等の実際の希望運転終了時刻（又は希望運転開始時刻）を入力する。あるいは、ユーザは、例えば“８時間後”等の現在の時刻から何時間後に運転を開始又は終了するかを入力する。
【００７３】
ここで、ステップＳ１にてユーザが希望運転終了時刻を入力しない場合は、たとえば、ユーザが家電機器１を運転するための運転条件（洗濯コース）を入力したのち５秒経過しても希望運転開始時刻または希望運転終了時刻が入力されない場合（ステップＳ２）は、ステップＳ４にて、運転情報読出部１３は運転情報記憶部１２に記憶した所定時間を読み出して、これを希望運転時刻として設定する。
【００７４】
所定時間は、ユーザが所定時間設定部２５によって、家電機器の運転情報記憶部１２に予め記憶させている時間である。
【００７５】
たとえば、家電機器が洗濯乾燥機であるような場合、ユーザが起床したときに洗濯と乾燥が終わっていることを望むときは、所定時間を起床時間前になるようにユーザが予め所定時間設定部２５によって設定する。
【００７６】
また、ユーザが就寝するまでに洗濯と乾燥が終わっていることを望むときは所定時間を就寝時間前になるようにユーザが予め所定時間設定部２５によって設定する。
【００７７】
また、家電機器が食器洗い乾燥機であるような場合、外出するまでに食器洗いと乾燥が終わっていることを望むときは、所定時間を外出時間前になるようにユーザが予め所定時間設定部２５によって設定する。
【００７８】
また、次の食事を始めるまでに食器洗いと乾燥が終わっていることを望むときは、所定時間を食事時間前になるようにユーザが予め所定時間設定部２５によって設定する。
【００７９】
同様に、家電機器が生ゴミ処理機であるような場合、帰宅するまでに生ゴミ処理機の運転が終わっていることを望むときは、所定時間を帰宅時間前になるようにユーザが予め所定時間設定部２５によって設定する。
【００８０】
このように、タイマー予約運転を設定するときにユーザが希望運転時刻を入力しなくて
も、所定時間設定部２５で予め設定した所定時間を用いて、以下のタイマー予約運転のフローチャートを実行することができる。
【００８１】
次に、ステップＳ３において、運転情報読出部１３は、運転情報取得部１１によって取得された運転条件に対応する運転期間情報と、運転情報取得部１１によって取得された運転条件に対応する電力量情報とを運転情報記憶部１２から読み出す。
【００８２】
運転情報読出部１３は、読み出した運転期間情報を運転時刻算出部１６へ出力する。また、運転情報読出部１３は、読み出した運転期間情報及び電力量情報を電気代算出部１７へ出力する。
【００８３】
次に、ステップＳ５において、電力料金情報取得部１５は、通信部１４を介して、時間毎に変化する電力料金を示す電力料金情報を取得する。なお、電力料金情報取得部１５は、通信部１４を介して、電力会社が運営する外部サーバにアクセスし、当該外部サーバから電力料金情報を取得するが、本発明は特にこれに限定されず、電力料金情報取得部１５は、内部のメモリに予め記憶している電力料金情報を読み出してもよい。電力料金情報取得部１５は、取得した電力料金情報を運転時刻算出部１６及び電気代算出部１７へ出力する。
【００８４】
次に、ステップＳ６において、運転時刻算出部１６は、運転情報取得部１１によって取得された希望運転時刻（または所定時間）と、電力料金情報取得部１５によって取得された電力料金情報と、運転情報読出部１３によって読み出された運転期間情報と、運転情報読出部１３によって読み出された電力量情報とに基づいて、現在時刻から希望運転時刻までの時間の中で、家電機器１が運転された場合に課金される電気代が最も安くなる運転開始時刻を算出する運転開始時刻算出処理を実行する。
【００８５】
ここで、図２のステップＳ６における運転開始時刻算出処理について説明する。図３は、図２のステップＳ６における運転開始時刻算出処理について説明するためのフローチャートである。
【００８６】
まず、ステップＳ２１において、運転時刻算出部１６は、現在時刻から、希望運転時刻から運転期間を減算した時間の間で、電力料金が安くなる時間帯を検索する。なお、ここでの電力料金の安い時間帯は、現在時刻から希望運転時刻までの間における電力料金の安い時間帯であり、１日の内の電力料金の最も安い時間帯ではない。
【００８７】
次に、ステップＳ２２において、運転時刻算出部１６は、現在時刻から希望運転時刻までの間に、電力料金が安くなる時間帯が存在するか否かを判断する。ここで、現在時刻から、希望運転時刻から運転期間を削減した時間までの間に、電力料金が安くなる時間帯が存在すると判断された場合（ステップＳ２２でＹＥＳ）、ステップＳ２３において、運転時刻算出部１６は、電力料金の安くなる時間帯の始端を運転開始時刻に決定する。
【００８８】
また、ステップＳ２４において、運転時刻算出部１６は、電力料金の高くなる時間帯の前の安い時間帯の終端を運転終了時刻に決定する。
【００８９】
そして、ステップＳ２５にて運転終了時刻から運転期間を減算して運転開始時刻を決定する。
【００９０】
以上のステップＳ２３からステップＳ２５を繰り返して（ステップＳ２６でＹＥＳ）、現在時刻より電力料金の安くなる時間帯の全てについて、運転開始時刻または運転終了時刻を求める。したがって複数の運転開始時刻または運転終了時刻が得られる。
【００９１】
一方、現在時刻から希望運転時刻までの間に、電力料金が安くなる時間帯が存在しないと判断された場合、たとえば、現在時刻から希望運転時刻までの間に電力料金が変化しない場合や現在時刻が電力料金の一番安い時間帯である場合は（ステップＳ２２でＮＯ）、ステップＳ２７において、運転時刻算出部１６は、運転開始時刻を現在時刻に決定する。
【００９２】
すなわち、電気機器を運転するのに課金される電力料金が、現在時刻において直ちに電気機器を運転するよりも安くなる運転時刻が存在するときのみ、その運転開始時刻又は運転終了時刻をユーザに報知する。
【００９３】
図４は、運転開始時刻算出処理について説明するための模式図である。なお、図４において、現在時刻は１３時であり、家電機器１の運転期間は１時間で、１回の運転に必要な電力量は１ｋＷｈとする。
【００９４】
また、１３時から１７時までの時間帯の電力料金が２８円／ｋＷｈであり、１７時から２３時までの時間帯の電力料金が２１円／ｋＷｈであり、２３時から午前７時までの時間帯の電力料金が８円／ｋＷｈであるとする。
【００９５】
ここで、ユーザは就寝する前に家電機器の運転を終了させたいとして、所定時間を２５時として所定時間設定部２５に予め記憶している。こうすることで、タイマー予約運転を行う度にユーザが希望運転終了時間を毎回設定しなくても、所定時間を用いて２５時までに運転を終了するようにタイマー予約運転を行うことができる。これを図４にて説明する。
【００９６】
まず、図４の（ｚ）に示すように、現在時刻（１３時）からすぐに家電機器１を運転すると１３〜１４時に機器が運転され２８円の電気代がかかる。
【００９７】
そして、運転時刻算出部１６は、１３時（現在時刻）から２５時（所定時間）までの間で、電力料金の安い時間帯を検索する。
【００９８】
１３時から１７時での時間帯については、電力料金は、一律の２８円／ｋＷｈである。そのため、運転時刻算出部１６は、電力料金の安くなる時間帯が存在しないと判断する。
【００９９】
１７時から２３時での時間帯については、電力料金は、２１円／ｋＷｈとなり上記の２８円／ｋＷｈよりも安くなる。
【０１００】
そのため、運転時刻算出部１６は、電力料金の安くなる時間帯の始端である１７時を運転開始時刻として設定する。これが１つめの運転開始時間であり、図４（ａ）として示すように、１７〜１８時に運転して２１円の電気代がかかる。
【０１０１】
２３時から２５時（希望運転終了時刻）での時間帯については、電力料金は、８円／ｋＷｈとなり上記の２８円／ｋＷｈよりも安くなる。
【０１０２】
そのため、運転時刻算出部１６は、電力料金の安くなる時間帯の始端である２３時を運転開始時刻として設定する。これが２つめの運転開始時間であり、図４（ｂ）として示すように、２３〜２４時に運転して８円の電気代がかかる。
【０１０３】
なお、現在時刻よりも電力料金が高くなる時間帯について図４では図示しないが、電力料金が高くなる時間帯の前の安い時間帯の終端を運転終了時刻に決定し、運転終了時刻から運転期間を減算して運転開始時刻を求める。たとえば、１７〜２３時の電力料金が３３
円で現在時刻の電力料金よりも高いときは、運転時刻算出部１６は、電力料金の安くなる時間帯の終端である１７時を運転終了時刻として設定する。家電機器１の運転期間は１時間であるから、運転開始時刻は１６時となる。
【０１０４】
このように電気代の安い時間帯から高い時間帯へ切り替わる時間や高い時間帯から安い時間帯への切り替わる時間の前後で家電機器１を運転させる。
【０１０５】
図２に戻って、ステップＳ６以降の処理について説明する。
【０１０６】
ステップＳ７において、電気代算出部１７は、運転時刻算出部１６によって算出された運転開始時刻（図４（ａ）、図４（ｂ））と、電力料金情報取得部１５によって取得された電力料金情報と、運転情報読出部１３によって読み出された運転期間情報と、運転情報読出部１３によって読み出された電力量情報とに基づいて、運転時刻算出部１６によって算出された運転開始時刻のそれぞれで運転された場合に課金される電気代を算出する。
【０１０７】
電気代算出部１７は、運転開始時刻と運転終了時刻との間において時間毎に変化する電力料金に、家電機器１が運転に要する電力量を乗算した値を運転期間で積分することにより、それぞれの運転開始時刻で運転された場合に課金される電気代を算出する。
【０１０８】
図４で説明したように、現在時刻で運転する（ｚ）が電気代２８円／ｋＷｈに対して、運転開始時刻（ａ）が２１円／ｋＷｈ、運転開始時刻（ｂ）が８円／ｋＷｈと安くなる。
【０１０９】
次に、運転時刻算出部１６によって算出された運転開始時刻が複数である場合には（Ｓ８のＹＥＳ）、ステップＳ９において、順位付与部１８は、電気代算出部１７によって算出された電気代の安い順番に運転開始時刻（ａ）、（ｂ）に対して順位を付与する。
【０１１０】
図５は、実施の形態１において、図４の運転開始時刻に対して付与される順位について説明するための図である。（ｚ）は現在時刻で運転する開始する場合、（ａ）、（ｂ）は図４（ａ）、図４（ｂ）の運転開始時刻で運転する場合の電気代を表している。
【０１１１】
順位付与部１８は、電気代が安い順番に順位を付与する。運転開始時刻（ｂ）が８円で推薦順位は１番、運転開始時刻（ａ）が２１円で推薦順位は２番が付与される。
【０１１２】
図２に戻って、ステップＳ１０において、報知部１９は、順位付与部１８によって付与された順位とともに、運転時刻算出部１６によって算出された複数の運転開始時刻を表示する。
【０１１３】
次に、ステップＳ１１において、運転時刻選択受付部２０は、報知部１９によって報知された複数の運転開始時刻の中から、ユーザが所望する運転開始時刻の選択を受け付ける。
【０１１４】
図６（Ａ）〜図６（Ｃ）は、報知部によって表示される表示画面の一例を示す図である。報知部１９は、複数の運転開始時刻を１候補ずつ順に表示する。報知部１９は、図６（Ａ）〜図６（Ｃ）に示す表示画面を順位の高い順に表示する。
【０１１５】
図６（Ａ）〜図６（Ｂ）に示すように、表示画面には、家電機器１が推薦する推薦順位、家電機器１が運転を開始する運転開始時刻、運転開始時刻から運転終了時刻までを表す運転時間、及び家電機器１が運転された場合に課金される電気代が表示される。また、報知部１９は、表示される運転開始時刻の選択を受け付けるための選択項目を表示画面に表示する。選択項目には、表示されている運転開始時刻でよいか、及び別の運転開始時刻を
見るかが表示され、ユーザはいずれか一方を選択する。
【０１１６】
運転時刻選択受付部２０は、報知部１９によって報知された複数の運転開始時刻の中から、ユーザが所望する運転開始時刻の選択を受け付ける。つまり、ユーザは、表示画面に表示される運転開始時刻でよければ、“Ｙｅｓ”に対応するボタンを押下し、別の運転開始時刻を表示する場合は、“Ｎｏ”に対応するボタンを押下する。
【０１１７】
まず、報知部１９は、“１番”の順位が付与された運転開始時刻を表示画面に表示する。ユーザにより“Ｎｏ”に対応するボタンを押下された場合、報知部１９は、“２番”の順位が付与された運転開始時刻を表示画面に表示する。さらに、ユーザにより“Ｎｏ”に対応するボタンを押下された場合、図６（ｃ）のように、タイマー予約運転をしない場合の運転開始時刻を表示画面に順次表示する。
【０１１８】
このように、複数の運転開始時刻を１つずつ表示画面に表示することにより、ユーザは、許容できる運転開始時刻であるか否かを１つずつ判断することができる。また、順位が１番目の運転開始時刻が許容できる場合、順位が２番目以降の運転開始時刻について判断する必要がないため、選択操作が容易になる。
【０１１９】
次に、報知部によって表示される表示画面の第１の変形例について説明する。図７は、報知部によって表示される表示画面の第１の変形例を示す図である。図７では、表示画面に複数の運転開始時刻が一括して表示されている。報知部１９は、複数の運転開始時刻を順位の高い順に表示する。
【０１２０】
図７に示すように、表示画面には、現在時刻、運転に要する期間、家電機器１が推薦する推薦順位、家電機器１が運転を開始する複数の運転開始時刻、運転開始時刻から運転終了時刻までを表す運転時間、及び家電機器１が運転された場合に課金される電気代が表示される。また、報知部１９は、表示される複数の運転開始時刻の中から１つの運転開始時刻の選択を受け付けるための選択項目を表示画面に表示する。
【０１２１】
選択項目には、表示されている複数の運転開始時刻の中から、ユーザが希望する運転開始時刻の選択を促す文章が表示される。ユーザは、運転開始時刻に対応付けられている順位に対応するボタンを押下することにより、複数の運転開始時刻の中からいずれかの運転開始時刻を選択する。
【０１２２】
また、表示画面には、現在時刻、希望運転時刻、推薦順位、複数の運転開始時刻、運転時間、電力料金単価及び課金される電気代が模式的に表示される。図７の下側に示すように時間軸とともに電力料金変化と複数の運転時間をグラフ化して時間関係をユーザが理解するのを補助する。
【０１２３】
このように、複数の運転開始時刻が１つの表示画面に表示されるので、ユーザは、各運転開始時刻を比較しながら選択することができる。
【０１２４】
次に、報知部によって表示される表示画面の第２の変形例について説明する。図８は、報知部によって表示される表示画面の第２の変形例を示す図である。図８では、表示画面に複数の運転開始時刻が一括して表示されている。また、複数の運転開始時刻は、運転開始時刻の早い順に表示される。なお、複数の運転開始時刻は、電気代の安い順に表示してもよい。
【０１２５】
図８に示すように、表示画面には、現在時刻、運転に要する期間、家電機器１が運転を開始する複数の運転開始時刻、運転開始時刻から運転終了時刻までを表す運転時間、及び
家電機器１が運転された場合に課金される電気代が表示される。
【０１２６】
なお、図８に示す表示画面において、運転開始時刻の左方に表示される番号（１）〜（２）は、推薦順位を表すものではなく、運転開始時刻の早い順番を表している。また、番号（３）にはタイマー予約運転をしない場合の運転時間と電気代を示している。報知部１９は、表示される複数の運転開始時刻の中から１つの運転開始時刻の選択を受け付けるための選択項目を表示画面に表示する。
【０１２７】
選択項目には、表示されている複数の運転開始時刻の中から１つの運転開始時刻の選択を促す文章が表示される。ユーザは、運転開始時刻に対応付けられている番号に対応するボタンを押下することにより、複数の運転開始時刻の中からいずれかの運転開始時刻を選択する。
【０１２８】
また、表示画面には、現在時刻、希望運転時刻、複数の運転開始時刻、運転時間、電力料金単価及び課金される電気代が模式的に表示される。図８の下側に示すように時間軸とともに電力料金変化と複数の運転時間をグラフ化して時間関係をユーザが理解するのを補助する。
【０１２９】
このように、複数の運転開始時刻が１つの表示画面に表示されるので、ユーザは、各運転開始時刻を比較しながら選択することができる。
【０１３０】
図２に戻って、ステップＳ１２において、運転時刻記憶部２１は、運転時刻選択受付部２０によって受け付けられた運転開始時刻を記憶する。
【０１３１】
次に、ステップＳ１３において、運転制御部２３は、現在の時刻が運転時刻記憶部２１に記憶されている運転開始時刻になったか否かを判断する。現在の時刻が運転時刻記憶部２１に記憶されている運転開始時刻になっていないと判断された場合（ステップＳ１３でＮＯ）、待機状態となり、現在の時刻が運転時刻記憶部２１に記憶されている運転開始時刻になるまで所定のタイミングでステップＳ１３の判断処理を繰り返す。
【０１３２】
一方、現在の時刻が運転時刻記憶部２１に記憶されている運転開始時刻になったと判断された場合（ステップＳ１３でＹＥＳ）、ステップＳ１４において、運転制御部２３は、家電機器１の運転を開始する。なお、運転制御部２３は、運転情報取得部１１によって取得された運転条件に従って家電機器１を運転する。
【０１３３】
このように、電気代が所定料金以下となる運転開始時刻又は運転終了時刻が算出され、算出された複数の運転開始時刻又は複数の運転終了時刻がユーザに報知されるので、ユーザは電気代の安い時間にタイマー予約運転することができ、ユーザの利便性を向上させることができる。また、算出された複数の運転開始時刻又は複数の運転終了時刻を電気代の安い順番にユーザに提案することができる。
【０１３４】
以上のように、所定時間として、ユーザの起床時間、就寝時間、外出時間、帰宅時間、食事時間等のユーザの生活に基づいた時間の少なくとも１つを前記運転情報記憶部に記憶させることで、ユーザが希望運転時刻を入力することなく、最適な所定時間までのあいだで電力料金の安い時間帯に家電機器を運転することができる。
【０１３５】
また、運転時刻算出部が算出した運転開始時刻又は運転終了時刻が複数ある場合、順位付与部は、電気代算出部によって算出された電力料金の安い順番に運転開始時刻又は運転終了時刻に対して順位を付与する。報知部は、順位付与部によって付与された順位とともに運転開始時刻又は運転終了時刻を報知するので、電力料金の安い順番にユーザに提案す
ることができる。
【０１３６】
なお、本実施の形態１において、順位付与部によって付与された順位とともに運転開始時刻又は運転終了時刻を報知することは必須ではない。
【０１３７】
なお、本実施の形態１において、所定時間を２５時としたが、ユーザが起床したときに家電機器１の運転が終わっていることを望むときは所定時間を午前８時に設定し、外出するまでに家電機器１の運転が終わっていることを望むときは所定時間を午前１０時に設定し、帰宅するまでに家電機器１の運転が終わっていることを望むときは所定時間を１８時に設定し、夕食の準備を始めるまでに家電機器１の運転が終わっていることを望むときは所定時間を１９時に設定する、というようにユーザの生活シーンに応じて様々な所定時間を設定することができる。
【０１３８】
また、予め複数の所定時間が設定されている場合は、Ｓ１の家電機器１を運転するための運転条件を入力するときの時刻（現在時刻）を参照して、この時刻から一番近い所定時間を設定してもよい。また、今から家電機器１を運転しても一番近い所定時間までに運転が終了しない場合は、運転終了が可能な時間を過ぎて一番近い時間を所定時間に設定してもよい。
【０１３９】
なお、家電機器は洗濯乾燥機によらず、食器洗い乾燥機や生ゴミ処理機などであってもよい。家電機器に応じて所定時間を異ならせて設定してもよい。たとえば、洗濯乾燥機には所定時間を２５時と設定し、食器洗い乾燥機には所定時間を２１時と設定する。
【０１４０】
また、本実施の形態１において、運転情報記憶部１２は、家電機器１を運転した場合に排出されるＣＯ２排出量情報を運転条件に対応付けてさらに記憶してもよい。この場合、家電機器１は、運転情報取得部１１によって取得された希望運転時刻と、運転情報読出部１３によって読み出された運転期間情報と、運転情報読出部１３によって読み出されたＣＯ２排出量情報とに基づいて、運転時刻算出部１６によって算出された複数の運転開始時刻のそれぞれで運転された場合に排出されるＣＯ２排出量を算出するＣＯ２排出量算出部をさらに備える。そして、順位付与部１８は、ＣＯ２排出量算出部によって算出されたＣＯ２排出量の少ない順番に複数の運転開始時刻に対して順位を付与する。あるいはまた、家電機器１が運転された場合に課金される電気代と排出されるＣＯ２排出量との両方を表示したりその順位付けしてユーザに選択させてもよい。
【０１４１】
なお、本実施の形態１では、ユーザが希望運転時刻を入力しないときに所定時間を取得してタイマー予約運転を行う形態を示したが、ユーザによる希望運転時刻の設定するステップを無くし、常に所定時間を取得してタイマー予約運転を行うように設計することもできる。
【０１４２】
すなわち、図２においてステップＳ２、Ｓ３を省いて、図９のように、ステップＳ１’にて運転条件のみを取得し、常にステップＳ４を実行する。そして、図９にて図２と同じ内容については同じステップ番号を付与して詳細な説明を省くが、ステップＳ６で運転開始時刻を算出し、ステップＳ７で電気代を算出して、図６〜図８のような報知部による報知をした後、ユーザが希望運転時刻を変更したければ希望運転時刻を入力して、再度、運転開始時刻を算出し、電気代を算出して報知部によって再報知するようにしてもよい。
【０１４３】
したがって、タイマー予約運転を設定するときにユーザが希望運転時刻を入力することなく、最適な所定時間までのあいだで電力料金の安い時間帯に家電機器を運転することができる。
【０１４４】
（実施の形態２）
続いて、実施の形態２に係る家電機器について説明する。図１０は、本発明の実施の形態２に係る家電機器の構成を示す図である。
【０１４５】
図１に示す家電機器１’は、運転情報取得部１１、運転情報記憶部１２、運転情報読出部１３、通信部１４、電力料金情報取得部１５、運転時刻算出部１６、電気代算出部１７、順位付与部１８、報知部１９、運転時刻選択受付部２０、運転時刻記憶部２１、時計部２２、運転制御部２３及び時間差算出部２４、所定時間設定部２５を備える。なお、実施の形態２に係る家電機器１’において、実施の形態１に係る家電機器１と同じ構成については説明を省略し、異なる構成についてのみ説明する。
【０１４６】
時間差算出部２４は、運転時刻算出部１６によって算出された複数の運転開始時刻と、現在時刻との時間差を算出する。
【０１４７】
順位付与部１８は、電気代算出部１７によって算出された電気代と、時間差算出部２４によって算出された時間差とに基づいて、複数の運転開始時刻に対して順位を付与する。
【０１４８】
次に、本実施の形態２における家電機器１’の動作について説明する。
【０１４９】
図１１は、本実施の形態２における家電機器１’の動作について説明するためのフローチャートである。
【０１５０】
ステップＳ３１〜Ｓ３６，Ｓ３８、Ｓ４０〜Ｓ４４の処理は、図９に示すステップＳ１’〜Ｓ６，Ｓ８、Ｓ１０〜Ｓ１４の処理と同じであるので説明を省略する。
【０１５１】
ステップＳ３７において、時間差算出部２４は、運転時刻算出部１６によって算出された運転開始時刻と現在時刻との時間差を算出する。
【０１５２】
図４を使って説明すると、現在時刻が１３時であり、運転開始時刻（ａ）が１７時である場合、時間差算出部２４によって算出される時間差は、“４時間”である。同様に、運転開始時刻（ｂ）が２３時である場合、時間差算出部２４によって算出される時間差は、“１０時間”である。
【０１５３】
図１１に戻って、ステップＳ３９において、順位付与部１８は、電気代算出部１７によって算出された電力料金と、時間差算出部２４によって算出された時間差とに基づいて、複数の運転開始時刻に対して順位を付与する。
【０１５４】
なお、実施の形態１のように、電気代算出部１７によって電気代の価値を算出するのみで時間差算出部２４によって時間差の価値を演算しなくてもよいし、順位付与部１８によって推薦順位を付与することなしに報知部１９で報知する形態でもよい。
【０１５５】
図１２は、実施の形態２において、図４の運転開始時刻（ｚ）、（ａ）、（ｂ）のそれぞれに対して付与される順位について説明するための図である。
【０１５６】
図１２において、電気代は、それぞれの運転開始時刻で運転された場合に課金される電気代を表している。なお、図１２における電気代は、図４の例において算出された運転開始時刻（ｚ）、（ａ）、（ｂ）のそれぞれで運転された場合に課金される電気代を示している。
【０１５７】
図１２における料金価値は、課金される電気代のうち、最も高い電気代を０円とし、最
も高い電気代に対して何円安くなっているかを表している。
【０１５８】
図１２における時間差は、運転開始時刻と現在時刻との時間差をそれぞれ表している。
【０１５９】
図１２における時間の価値は、上記の時間差を料金に換算したものであり、ここでは時間差が３０分毎に１円の料金価値に換算して計算している。運転待ち時間が発生すると時間の価値は下がるとして、負の価値でそれぞれ表している。
【０１６０】
図１２における合計価値は、上記の料金価値と、上記の時間価値とを合計したものである。
【０１６１】
図１２のお薦め順位は、順位付与部１８によって付与された順位を表している。順位付与部１８は、料金価値と時間価値との合計が高い順番に、順位を付与する。
【０１６２】
図１２において、運転開始時刻（ｂ）と（ｚ）に対応する価値の合計が最も高いので、１番目の推薦順位が付与される。そして、運転開始時刻（ａ）に２番目の推薦順位が付与される。
【０１６３】
この推薦順位を用いて、実施の形態１の図６〜図８のようにユーザに表示して、運転時間を選択させる。
【０１６４】
なお、本実施の形態２では、図１２においての時間価値において、３０分の時間差を１円の料金価値に換算しているが、本発明は特にこれに限定されず、料金価値をより重視する場合は、たとえば、１時間の時間差を１円の料金に換算し、時間差に対する料金価値を高くしてもよい。また、時間価値をより重視する場合は、たとえば、１５分の時間差を１円の電力価値に換算し、料金に対する時間価値を高くしてもよい。
【０１６５】
このように、時間差を料金価値に換算する換算計数を設定することにより、料金と時間差との価値比率を変化させることができる。そして、電気代だけでなく、時間差も考慮してユーザに推薦する順位が決定されるので、よりユーザの意向に適した運転開始時刻を提案することができる。
【０１６６】
さらに、家電機器の種類やユーザの好みによってその比率を異ならせてもよい。
【０１６７】
ユーザが炊きたてや食べ頃にこだわる炊飯器のような調理機器では、運転時刻と現在時刻との時間差を小さくするように時間差に対する料金価値を高くする。たとえば、１５分の時間差を１円の料金価値に換算する。
【０１６８】
また、ユーザが出来上がり時間の多少の時間差が構わないような食器洗い乾燥機や生ゴミ処理機では運転時刻と現在時刻との時間差が大きくても電力料金を安くするように時間差に対する料金価値を低くする。たとえば、１時間の時間差を１円の料金価値に換算する。
【０１６９】
また、運転する時刻に応じて時間差に対する料金価値を変化させてもよい、たとえば、深夜の時間帯では時間差に対する料金価値を低くするように設定し、それ以外の行動中の時間帯は時間差に対する料金価値を高く設定する。
【０１７０】
なお、このように時間差と料金価値の換算値は、運転情報記憶部１２に予め記憶しておく方法や、運転情報取得部１１や通信部１４を介して外部から設定変更できる方法が考えられる。
【０１７１】
また、運転開始時刻よりも運転終了時刻を重要視して、ステップＳ３７において、時間差算出部２４は、運転時刻算出部１６によって算出された運転終了時刻と現在時刻との時間差を算出してもよい。
【０１７２】
以上のように、時間差算出部は、運転開始時刻と、時計部によって計時する現在時刻との時間差を算出し、順位付与部は、電気代算出部によって算出された電力料金と、時間差算出部によって算出された時間差とに基づいて、運転開始時刻又は複数の運転終了時刻に対して順位を付与するので、電力料金に加えて、現在時刻と運転開始時刻との時間差も考慮して順位が付与されるので、よりユーザの意向に適した運転開始時刻を提案することができる。
【０１７３】
（実施の形態３）
実施の形態１、２は、所定時間としてユーザが生活時間予め設定する内容であったが、所定時間の設定として家電機器の運転許可時間と運転不許可時間を設定してもよい。
【０１７４】
家電機器の構成、フローチャートは実施の形態２と同じとして、図１０、図１１に示す。
【０１７５】
例えば、図１３のように１日の中で家電機器を運転してもよい時間帯（運転許可時間）を午前６時から２１時までのあいだとし、それ以外の２１時から午前６時は就寝中なので運転を許可しない時間帯（運転不許可時間）として、所定時間設定部２５によってユーザは予め所定時間を設定する。このとき、運転許可時間と運転不許可時間をユーザは家電機機器の種類毎に異ならせて設定しても良い。
【０１７６】
そして、図１１のフローチャートによって、運転時刻算出部１６によって運転許可時間の中で運転開始時刻を算出し、電気代算出部１７によって電気代の価値を算出し、時間差算出部２４によって時間差の価値を演算し、順位付与部１８によって推薦順位を付与して、報知部１９でユーザに報知する。
【０１７７】
このとき、図１１のステップＳ４において、運転許可時間を所定時間として取得し、図３のステップＳ２１において、現在時刻１３時〜２１時のあいだと、午前６時〜１３時（現在時刻の２４時間先までをタイマー予約運転の範囲とする）のあいだのそれぞれで運転許可時間の中で電力料金の安い時間帯を検索する。
【０１７８】
図１３では、現在時刻を１３時とし、運転期間を２時間、運転にかかる電力量を２ｋＷｈとした。
【０１７９】
図１３（ａ）は電力料金が２１円／ｋＷｈに安くなる時間帯の始端（１７時）を運転開始時刻としたものであり、図１３（ｂ）は電力料金が２１円／ｋＷｈに安くなる時間帯の中で運転許可期間の終端（２１時）を運転終了時刻としたものである。
【０１８０】
また、図１３（ｃ）は運転許可時間（午前６時〜２１時）の中で電力料金が８円／ｋＷｈに安くなる時間帯の始端（午前６時）を運転開始時刻としたものであり、図１３（ｄ）は電力料金が２１円／ｋＷｈに高くなる時間帯の前の時間帯の終端（午前７時）を運転終了時刻としたものである。
【０１８１】
なお、図１３（ｄ）は運転開始時刻（午前５時）が運転不許可時間（午前６時〜２１時）に含まれるので、タイマー予約運転の対象から除外する。
【０１８２】
図１３（ｚ）は現在時刻（１３時）から運転開始した場合を示している。
【０１８３】
そして、図１４に図１３（ａ）〜（ｄ）、（ｚ）の運転時間、電気代、料金価値を示す。
【０１８４】
電気代では（ｃ）が２９円と一番安く、現在時刻から運転する（ｚ）と比較して２７円安く運転できる。
【０１８５】
時間差では図１４（ｃ）が１７時間となり一番大きくなる。時間差が一番小さいの（ａ）の４時間である。
【０１８６】
ここで時間差の３０分を１円の価値として時間差の価値を算出し、これと料金価値とで合計すると図１４の合計価値に示すようになり、お薦め順位は（ａ）が１番、（ｂ）が２番となる。
【０１８７】
以上のように、ユーザが希望運転時刻を入力しなくても、家電機器の許可時間、不許可時間として所定時間を設定しておくことで、ユーザのニーズにあった時刻において電力料金の安い時間帯に家電機器を運転することができる。
【０１８８】
（実施の形態４）
実施の形態１、２は、所定時間としてユーザが生活時間や家電機器の運転許可時間を予め設定する内容であったが、ユーザが設定しなくても家電機器が所定時間を算出することが可能である。これを説明する。
【０１８９】
実施の形態４に係る家電機器について説明する。図１５は、本発明の実施の形態４に係る家電機器の構成を示す図である。
【０１９０】
図１５に示す家電機器１”は、運転情報取得部１１、運転情報記憶部１２、運転情報読出部１３、通信部１４、電力料金情報取得部１５、運転時刻算出部１６、電気代算出部１７、順位付与部１８、報知部１９、運転時刻選択受付部２０、運転時刻記憶部２１、時計部２２、運転制御部２３及び時間差算出部２４、運転時刻分析部２６を備える。
【０１９１】
なお、実施の形態４に係る家電機器１”において、実施の形態１に係る家電機器１と同じ構成については説明を省略し、異なる構成についてのみ説明する。
【０１９２】
ユーザがこれまでに電気機器１”を運転した時刻を運転時刻記憶部２１に記憶し、運転時刻分析部２６は、これを読み出して、運転したことがある時刻の時間分布からユーザが家電機器１”を使用する時間帯を求めるものである。
【０１９３】
たとえば、あるユーザがこれまでに洗濯乾燥機を運転した時間帯を運転時刻記憶部２１に記憶する。たとえば、今日の１７時〜１９時に運転したときは、運転時刻記憶部２１に１７時〜１９時を記憶する。運転回数が増えるにしたがって、記憶される運転時刻は複数になる。
【０１９４】
ここで運転履歴の有る時間については、このユーザがこれまでにタイマー予約運転を使って家電機器を運転した時刻に加えて、タイマー予約運転ではなくてもユーザが家電機器を運転した時刻を含める。
【０１９５】
そして、たとえば、過去１年間に運転した時間帯を運転履歴として以下のように扱う。
【０１９６】
この運転履歴の中で、１日の中で最も速い時間帯で運転した記録がたとえば午前６時からであるときは、運転時刻分析部２６は運転履歴有りの時間は午前６時以降と分析する。
【０１９７】
また、運転時刻記憶部２１に記憶された運転時刻の中で、１日の中で最も遅い時間帯で運転した記録がたとえば２０時までであるときは、運転時刻分析部２６は運転履歴有りの時間は２０時までと分析する。
【０１９８】
このようにして運転履歴有り時間は、このユーザの運転履歴の有る時間帯から午前６時〜２０時までとなり、運転履歴の有る時間帯から無い時間帯に変化する時刻（２０時）を所定時間としてタイマー予約運転を行う。すなわち、ユーザがこの時刻までには家電機器の使用を終了したいとする時刻を所定時間とする。
【０１９９】
また運転履歴の無い時間帯から有る時間帯に変化する時刻（午前６時）を所定時間としてタイマー予約運転を行う。すなわち、ユーザがこの時刻からであれば家電機器を使用してもよいとする時刻を所定時間とする。
【０２００】
なお、午前６時〜２０時のあいだであっても、これまでの運転履歴を見てある時間長（たとえば２時間）以上にわたって運転の無い時間帯については、この時間帯を運転履歴無し時間としてもよい。
【０２０１】
このようにして、運転時刻分析部２６はユーザの過去の運転時刻の記憶から運転履歴有り時間を算出し、この始まりの時刻と終了の時刻とを所定時間としてタイマー予約運転を行う。あるいは、始まりの時刻のみを所定時間としてもよいし、終了の時刻のみを所定時間としてもよい。
【０２０２】
所定時間を求めた後の、本実施の形態４における家電機器１”の動作について説明するためのフローチャートは本実施の形態２における家電機器１’の動作（図１１のフローチャート）と同じである。
【０２０３】
例えば、図１６に示すように、洗濯乾燥機の過去の運転時間の履歴（たとえば過去一年間の実際に運転した時間の履歴）を時間帯に表すと、運転履歴有り時間を午前６時〜２０時とする。すなわち、所定時間を午前６時〜２０時とする。
【０２０４】
そして、図１１のフローチャートで、運転時刻算出部１６によって現在時刻から所定時間のあいだで運転開始時刻を算出し（ステップＳ３６）、電気代算出部１７によって電気代の価値を算出し、時間差算出部２４によって時間差の価値を演算し（ステップＳ３７）、順位付与部１８によって推薦順位を付与して（ステップＳ３９）、報知部１９でユーザに報知する（ステップＳ４０）。
【０２０５】
このとき、図１１のステップＳ３４において、運転履歴の有る時間を所定時間として取得し、図３のステップＳ２１において、現在時刻１３時〜２０時のあいだと、午前６時〜１３時（現在時刻の２４時間先までをタイマー予約運転の範囲とする）のあいだのそれぞれで電力料金の安い時間帯を検索する。
【０２０６】
また、運転時刻選択受付部２０でユーザが選択した運転開始時刻または運転終了時刻を運転時刻記憶部２１に記憶し、運転時刻分析部２６にて運転履歴有り時間を算出する。
【０２０７】
図１６では図１３と同じく、運転期間を２時間、運転にかかる電力量を２ｋＷｈとした。
【０２０８】
図１６（ａ）は１３時〜２０時のあいだで、電力料金が２１円／ｋＷｈに安くなる時間帯の始端（１７時）を運転開始時刻としたものである。
【０２０９】
図１６（ｂ）は午前６時〜１３時のあいだで、電力料金が８円／ｋＷｈに安くなる時間帯の始端（午前６時）を運転開始時刻としたものである。
【０２１０】
図１６（ｃ）は電力料金が８円／ｋＷｈに安くなる時間帯の終端（午前７時）を運転終了時刻としたものであるが、運転開始時刻が運転履歴の無い時間に含まれるので、タイマー予約運転の対象から除外する。
【０２１１】
図１６（ｄ）は午前６時から１３時のあいだで、電力料金が２８円／ｋＷｈに高くなる前の、２１円／ｋＷｈの時間帯の終端（午前１０時）を運転開始時刻としたものである。
【０２１２】
また、図１６（ｚ）は現在時刻から運転開始した場合を示している。
【０２１３】
そして、図１７に、図１６（ａ）、（ｂ）、（ｃ）、（ｄ）、（ｚ）の運転時間、電気代、料金価値を示す。
【０２１４】
電気代は（ｂ）が２９円と一番安く、現在時刻から運転する（ｚ）と比較して２７円安く運転できる。
【０２１５】
時間差は（ｄ）が１９時間と一番大きい。３０分の時間差の１円の価値として時間差の価値を算出すると−３８円となる。
【０２１６】
電気代と時間差の時間価値とで合計してお薦め順位を付与すると、図１７に示すように（ａ）が１番、（ｚ）が２番の推薦順位となる。
【０２１７】
以上のように、所定時間として、過去に運転した時刻の履歴情報を運転時刻記憶部に記憶させ、運転時刻分析部において運転履歴有り時間を算出して、これを所定時間とするので、タイマー予約運転を設定するときにユーザが希望運転時刻を入力しなくても、現在時刻から所定時間までの時刻において電力料金の安い時間帯に家電機器を運転することができる。
【０２１８】
そして、ユーザが過去に運転した時刻の履歴情報を記憶し、履歴情報に基づいて所定時間を設定するので、ユーザがこれまでに実施した運転期間を考慮して電気機器を運転させることができる。
【０２１９】
また、機器毎に過去に運転した時刻の履歴情報は異なるので、所定時間も機器毎に最適な値とすることができる。
【０２２０】
（実施の形態５）
続いて、実施の形態５に係る家電機器について説明する。図１８は、本発明の実施の形態５に係る家電機器の構成を示す図である。図１における家電機器と同じものには同じ番号を付与して説明を省く。
【０２２１】
家電機器１”’は、図１の所定時間設定部２５の代わりに、宅内通信部３１を介してセンサ装置３に接続して、そのセンサ情報をセンサ情報分析部２７に取得する。
【０２２２】
センサ装置３は、人感センサや明るさセンサなどであり、ユーザが宅内で行動した時間帯を検知する。たとえば、ユーザの就寝中や不在（外出中）を検知する。また、ユーザの
起床や帰宅を検知する。このようなセンサ装置３を家電機器１に内蔵してもよい。
【０２２３】
また、センサ装置３は、ホームセキュリティ機器と接続してもよい。たとえば、玄関の施錠センサによって、ユーザの在宅中（宅内から施錠したとき）、外出中（宅外から施錠したとき）を検知する。あるいは、ホームセキュリティ機器にユーザ自身が設定する「就寝中」「外出中」を検知する。
【０２２４】
またセンサ装置３は、他の家電機器であり、その動作状態からユーザの現在状態を取得してもよい。たとえば深夜にテレビが消された、照明が消された、寝室のエアコンの運転を始めたのを検知して就寝を検知する。また早朝にテレビがついた、照明がついた、居間のエアコンの運転を始めたのを検知して起床を検知する。
【０２２５】
センサ情報分析部２７は、これらのセンサ装置３からのセンサ情報を時間帯で分析することにより、ユーザが行動する時間帯と行動していない時間帯を得られる。そして、タイマー予約運転の所定時間をユーザの行動する時間帯と行動していない時間帯とから設定する。
【０２２６】
センサ情報分析部２７によるユーザの行動時間を図１９で説明する。
【０２２７】
センサ装置３からの検知により、このユーザの行動の有った時間は午前８時〜午前１１時と１２時３０分〜２４時ということが分析される。
【０２２８】
センサ情報分析部２７は、このユーザの行動のある時間帯から無い時間帯に変化する時刻（午前１１時と２４時）を所定時間としてタイマー予約運転を行う。すなわち、ユーザが就寝したり外出するような時刻までに家電機器の運転が終了するように所定時間を設定する。
【０２２９】
また、行動の無い時間帯から有る時間帯に変化する時刻（午前８時と１２時３０分）を所定時間としてタイマー予約運転を行う。すなわち、ユーザが起床したり帰宅するような時刻までに家電機器の使用を終了したいとする時刻を所定時間とする。
【０２３０】
このようにして、センサ情報分析部２７はセンサ装置３からのセンサ情報によってユーザの行動有り時間を算出し、この始まりの時刻と終了の時刻とを所定時間としてタイマー予約運転を行う。あるいは、始まりの時刻のみを所定時間としてもよいし、終了の時刻のみを所定時間としてもよい。
【０２３１】
このようにして、午前８時、午前１１時、１２時３０分、２４時の４つの時刻を所定時間としてタイマー予約運転を行う。
【０２３２】
図１１のフローチャートによって、４つの所定時間についてそれぞれ、運転時刻算出部１６によって複数の運転開始時刻を算出し（ステップＳ３６）、電気代算出部１７によって電気代の価値を算出し、時間差算出部２４によって時間差の価値を演算し（ステップＳ３７）、順位付与部１８によって推薦順位を付与して（ステップＳ３９）、報知部１９でユーザに報知する（ステップＳ４０）。
【０２３３】
このとき、図１１のステップＳ４において、ユーザの行動有り時間を所定時間として取得し、図３のステップＳ２１において、現在時刻１３時〜２４時のあいだと、２４時〜午前８時のあいだと、午前８時〜午前１１時のあいだと、午前１１時〜１２時３０分のあいだと、１２時３０分〜１３時（現在時刻の２４時間先までをタイマー予約運転の範囲とする）のあいだのそれぞれで運転許可時間の中で電力料金の安い時間帯を検索する。
【０２３４】
なお、実施の形態１のように、電気代算出部１７によって電気代の価値を算出するのみで時間差算出部２４によって時間差の価値を演算しなくてもよいし、順位付与部１８によって推薦順位を付与することなしに報知部１９で報知する形態でもよい。
【０２３５】
図１９の例では図１３と同じく、運転期間を２時間、運転にかかる電力量を２ｋＷｈとした。
【０２３６】
図１９（ａ）は１３時〜２４時のあいだで電力料金が２１円／ｋＷｈに安くなる時間帯の始端を運転終了時刻としたものである。
【０２３７】
図１９（ｂ）は１３時〜２４時のあいだで電力料金が８円／ｋＷｈに安くなる時間帯の始端を運転終了時刻としたものである。
【０２３８】
図１９（ｃ）は２４時〜午前８時のあいだで電力料金が８円／ｋＷｈに安くなる時間帯の終端を運転終了時刻としたものである。
【０２３９】
図１９（ｄ）は午前８時〜午前１１時のあいだで電力料金が２１円／ｋＷｈに安くなる時間帯の終端を運転終了時刻としたものである。
【０２４０】
参考までに、図１９（ｅ）は現在時刻から２４時間以上先であるが、図１９（ａ）と同じ時間帯である。
【０２４１】
また、図１９の（ｚ）は現在時刻から運転開始した場合を示している。
【０２４２】
これを、図２０に示すように、図１９（ａ）、（ｂ）、（ｃ）、（ｄ）、（ｚ）の運転時間、電気代、料金価値を示す。
【０２４３】
電気代は（ｂ）と（ｃ）が１６円と一番安く、現在時刻から運転する（ｚ）と比較して４０円安く運転できる。
【０２４４】
時間差は（ｄ）が１９時間と一番大きい。３０分の時間差の１円の価値として時間差の価値を算出すると−３８円となる。
【０２４５】
電気代と時間差の時間価値とで合計してお薦め順位を付与すると、図２０に示すように（ｂ）が１番、（ａ）が２番の推薦順位となる。
【０２４６】
以上のように、電気機器は、ユーザの行動を検知するセンサ装置と接続し、ユーザが過去に行動した時刻の履歴情報を記憶し、履歴情報に基づいて所定時間を設定するので、タイマー予約運転を設定するときにユーザが希望運転時刻を入力しなくても、現在時刻から所定時間までの時刻において電力料金の安い時間帯に家電機器を運転することができる。
【０２４７】
そして、センサ装置で検知したユーザの行動の履歴情報を記憶し、運転時刻算出部は、履歴情報に基づいて所定時間を設定するのでユーザの行動を考慮して電気機器を運転させることができる。
【０２４８】
（実施の形態６）
続いて、実施の形態６に係る機器制御システムについて説明する。図２１は、本発明の実施の形態６に係る機器制御システムの構成を示す図である。図２１に示す機器制御システムは、機器制御装置２と第１の家電機器５を備える。
【０２４９】
機器制御装置２と、第１の家電機器５とは、無線又は有線のホームネットワークにより情報を相互に送受信可能に接続されている。なお、図２１では、１つの家電機器が機器制御装置２に接続されているが、本発明は特にこれに限定されず、２つ以上の家電機器が機器制御装置２に接続されていてもよい。
【０２５０】
第１の家電機器５は、運転情報取得部５１、運転情報記憶部５２、運転情報読出部５３、宅内通信部５４及び運転制御部５５を備える。
【０２５１】
機器制御装置２は、宅内通信部３１、通信部３２、電力料金情報取得部３３、運転時刻算出部３４、電気代算出部３５、順位付与部３６、報知部３７、運転時刻選択受付部３８、運転時刻記憶部３９、時計部４０及び家電機器遠隔制御部４１を備える。機器制御装置２は、例えば宅内に設けられたホームサーバ又はパーソナルコンピュータである。なお、宅内通信部３１、５４の代わりに宅外通信部を備えて、機器制御装置２は、例えば宅外に設けられたサーバであってもよい。
【０２５２】
第１の家電機器５の運転情報取得部５１は、例えばユーザが第１の家電機器５を操作するためのスイッチ、キーボード又はタッチパネルなどで構成され、第１の家電機器５を運転するための運転条件を取得する。
【０２５３】
運転情報記憶部５２は、第１の家電機器５の運転に要する期間を示す運転期間情報と、第１の家電機器５の運転に要する電力量を示す電力量情報とを運転条件に対応付けて記憶する。また、運転情報記憶部５２は所定時間を記憶している。
【０２５４】
運転情報読出部５３は、運転情報取得部５１によって取得された運転条件に対応する運転期間情報と、運転情報取得部５１によって取得された運転条件に対応する電力量情報とを運転情報記憶部５２から読み出す。
【０２５５】
宅内通信部５４は、運転情報取得部５１によって取得された所定時間と、運転情報読出部５３によって読み出された運転期間情報及び電力量情報とを機器制御装置２へ送信する。また、宅内通信部５４は、機器制御装置２から送信される第１の家電機器５の運転を開始するための運転開始指示信号を受信する。
【０２５６】
運転制御部５５は、宅内通信部５４によって受信された運転開始指示信号に基づいて、第１の家電機器５の運転を制御する。
【０２５７】
機器制御装置２の宅内通信部３１は、第１の家電機器５の宅内通信部５４によって送信された所定時間、運転期間情報及び電力量情報を受信する。
【０２５８】
なお、通信部３２、電力料金情報取得部３３、運転時刻算出部３４、電気代算出部３５、順位付与部３６、報知部３７、運転時刻選択受付部３８、運転時刻記憶部３９及び時計部４０の構成は、図１に示す通信部１４、電力料金情報取得部１５、運転時刻算出部１６、電気代算出部１７、順位付与部１８、報知部１９、運転時刻選択受付部２０、運転時刻記憶部２１及び時計部２２の構成と同じであるので説明を省略する。
【０２５９】
家電機器遠隔制御部４１は、時計部４０を参照し、運転時刻記憶部３９に記憶されている運転開始時刻に基づいて、第１の家電機器５の運転を遠隔制御する。すなわち、家電機器遠隔制御部４１は、現在時刻が運転時刻記憶部３９に記憶された運転開始時刻になると、第１の家電機器５の運転を開始するための運転開始指示信号を生成する。家電機器遠隔制御部４１は、生成した運転開始指示信号を宅内通信部３１へ出力する。宅内通信部３１
は、家電機器遠隔制御部４１によって生成された運転開始指示信号を第１の家電機器５の宅内通信部５４へ送信する。
【０２６０】
あるいは、図示しないが、第１の家電機器５が時計部４０を備えて、運転制御部５５において、現在時刻が機器制御装置２から受信した運転開始時刻になると、第１の家電機器５の運転を開始するように構成してもよい。
【０２６１】
なお、本実施の形態６において、第１の家電機器５は、運転情報記憶部５２及び運転情報読出部５３を備えているが、本発明は特にこれに限定されず、機器制御装置２が、運転情報記憶部５２及び運転情報読出部５３を備えてもよい。この場合、運転情報取得部５１は、運転条件と希望運転時刻とを取得し、取得した運転条件と希望運転時刻とを宅内通信部５４へ出力する。宅内通信部５４は、運転条件及び希望運転時刻を機器制御装置２へ送信する。機器制御装置２の宅内通信部３１は、第１の家電機器５によって送信された運転条件及び所定時間を受信し、受信した運転条件を運転情報読出部へ出力し、受信した所定時間を運転時刻算出部３４へ出力する。機器制御装置２の運転情報読出部は、宅内通信部３１によって受信された運転条件に対応する運転期間情報と、宅内通信部３１によって受信された運転条件に対応する電力量情報とを運転情報記憶部から読み出す。
【０２６２】
なお、本実施の形態６において、第１の家電機器５を運転するための所定時間を第１の家電機器５の運転情報記憶部５２に予め記憶して、宅内通信部３１を介してこれを機器制御装置２が取得するようにしているが、実施の形態１のように機器制御装置２側に運転情報記憶部１２を備えてこれに所定時間を記憶するようにしてもよい。
【０２６３】
次に、本実施の形態６における機器制御システムの動作について説明する。
【０２６４】
図２２は、本実施の形態６における機器制御システムの動作について説明するためのフローチャートである。なお、以下の説明では、第１の家電機器５の運転開始時刻を決定する動作について説明する。
【０２６５】
まず、ステップＳ１０１において、運転情報取得部５１は、第１の家電機器５を運転するための運転条件を取得する。運転情報取得部５１は、第１の家電機器５を運転するための運転条件の入力を受け付ける。運転情報取得部５１は、取得した運転条件を運転情報読出部５３へ出力し、取得した希望運転時刻を宅内通信部５４へ出力する。
【０２６６】
次に、ステップＳ１０２において、運転情報読出部５３は、運転情報取得部５１によって取得された運転条件に対応する運転期間情報と、運転情報取得部５１によって取得された運転条件に対応する電力量情報とを運転情報記憶部５２から読み出す。運転情報読出部５３は、読み出した運転期間情報及び電力量情報を宅内通信部５４へ出力する。また、運転情報読出部５３は運転情報記憶部５２から所定時間情報を読み出し宅内通信部５４へ出力する。
【０２６７】
所定時間情報は、ユーザが第１の家電機器５の運転情報記憶部５２に予め記憶させている時間である。
【０２６８】
たとえば、家電機器が洗濯乾燥機であるような場合、ユーザが起床したときに洗濯と乾燥が終わっていることを望むときは、所定時間を起床時間前になるようにユーザが予め設定する。
【０２６９】
また、ユーザが就寝するまでに洗濯と乾燥が終わっていることを望むときは所定時間を就寝時間前になるようにユーザが予め設定する。
【０２７０】
また、家電機器が食器洗い乾燥機であるような場合、外出するまでに食器洗いと乾燥が終わっていることを望むときは、所定時間を外出時間前になるようにユーザが予め設定する。
【０２７１】
また、次の食事を始めるまでに食器洗いと乾燥が終わっていることを望むときは、所定時間を食事時間前になるようにユーザが予め設定する。
【０２７２】
同様に、家電機器が生ゴミ処理機であるような場合、帰宅するまでに生ゴミ処理機の運転が終わっていることを望むときは、所定時間を帰宅時間前になるようにユーザが予め設定する。
【０２７３】
このように、ユーザが希望運転時刻を入力しなくても、運転情報記憶部５２に予め設定した所定時間情報を用いて、以下のタイマー予約運転のフローチャートを実行することができる。
【０２７４】
次に、ステップＳ１０３において、運転情報読出部５３によって読み出された運転期間情報及び電力量情報、所定時間情報を宅内通信部５４から機器制御装置２へ送信する。
【０２７５】
次に、ステップＳ１０４において、機器制御装置２の宅内通信部３１は、第１の家電機器５の宅内通信部５４によって送信された運転期間情報、電力量情報、所定時間情報を受信する。宅内通信部３１は、受信した所定時間情報及び運転期間情報を運転時刻算出部３４へ出力し、受信した運転期間情報及び電力量情報を電気代算出部３５へ出力する。
【０２７６】
ステップＳ１０５からＳ１１２の処理は、図２に示すステップＳ６からＳ１３の処理と同じであるので説明を省略する。
【０２７７】
現在の時刻が運転時刻記憶部３９に記憶されている運転開始時刻になったと判断された場合（ステップＳ１１２でＹＥＳ）、ステップＳ１１３において、家電機器遠隔制御部４１は、第１の家電機器５の運転を開始するための運転開始指示信号を生成し、宅内通信部３１へ出力する。
【０２７８】
次に、ステップＳ１１４において、宅内通信部３１は、家電機器遠隔制御部４１によって生成された運転開始指示信号を第１の家電機器５の宅内通信部５４へ送信する。
【０２７９】
次に、ステップＳ１１５において、第１の家電機器５の宅内通信部５４は、機器制御装置２の宅内通信部３１によって送信された運転開始指示信号を受信する。
【０２８０】
次に、ステップＳ１１６において、運転制御部５５は、運転情報取得部５１によって取得された運転条件に基づいて、第１の家電機器５の運転を開始する。
【０２８１】
このように、電力料金が所定料金以下となる運転開始時刻又は運転終了時刻が算出され、算出された複数の運転開始時刻又は複数の運転終了時刻がユーザに報知されるので、ユーザは電力料金の安い時間にタイマー予約運転することができ、ユーザの利便性を向上させることができる。また、算出された複数の運転開始時刻又は複数の運転終了時刻を電気代の安い順番にユーザに提案することができる。
【０２８２】
このときに、実施の形態１、２で説明したように、所定時間として、ユーザの起床時間、就寝時間、外出時間、帰宅時間、食事時間等のユーザの生活に基づいた時間の少なくとも１つを運転情報記憶部に記憶させることで、ユーザが希望運転時刻を入力することなく
、最適な所定時間までのあいだで電力料金の安い時間帯に家電機器を運転することができる。
【０２８３】
また、実施の形態３で説明したように、所定時間として、家電機器の運転許可時間を運転情報記憶部に記憶させることで、ユーザが希望運転時刻を入力することなく、最適な所定時間までのあいだで電力料金の安い時間帯に家電機器を運転することができる。
【０２８４】
また、実施の形態４で説明したように、所定時間として、過去に運転した時刻の履歴情報を運転情報記憶部に記憶させ、それを分析して運転履歴有り時間を算出して、これを所定時間とすることで、ユーザが希望運転時刻を入力しなくても、ユーザがこれまでに実施した運転期間を考慮して電気機器を運転させることができる。
【０２８５】
なお、本実施の形態１〜６では、タイマー予約運転をするときに希望運転終了時刻のユーザ設定がないときに所定時間を希望運転終了時刻に設定し、現在時刻から所定時間のあいだでタイマー予約運転の運転時間を算出する形態を説明した。それとは逆に、タイマー予約運転をするときに希望運転開始時刻のユーザ設定がないとき、希望運転開始時刻を所定時間に設定する形態でもよい。たとえば、所定時間以降で現在時刻から１２時間後までのあいだの時間でタイマー予約運転の運転時間を算出する。そうすれば、就寝した後に電気機器を自動で運転する、起床した後に自動で運転する、外出した後に自動で運転する、帰宅した後に自動で運転することができる。
【０２８６】
なお、本実施の形態１〜６では、説明上、時間帯別電力料金として夜間の電力料金を安くし昼の電力料金を高くするような電力契約で説明したので、就寝以降である２３時に運転したり、起床前である午前７時前に運転するものが電気代の一番安い時間帯となった。また、現在時刻を１３時として説明したので、時間差を考慮すると、その日の夕方から深夜に運転するものが時間差が小さく、お薦めの順位が高くなった。
【０２８７】
たとえば、太陽光発電を組み合わせた時間帯別電力料金では、日中の発電量が多くなるので日中のほう夜間よりも電気料金が安くなる場合が発生する。その日の天候によって発電量が異なるので時間帯別電力料金は日々変動する、複雑なものとなることが予想される。
【０２８８】
本願発明は、このように変動する電力料金についても、電力料金情報を取得することで対応できる。そして、洗濯乾燥機や食器洗い乾燥機、生ゴミ処理機をはじめ、今日の夕方までに運転が終了できれば運転開始時間や運転終了時間はいつでも構わないとユーザが考える家電機器を、日中の発電量の変化を意識することなく、電気代の安い時間帯で自動的に運転させることが可能となる。
【０２８９】
なお、本実施の形態１〜６では、電気機器の例として家庭にある家電機器で説明したが、これに限らず、事務所、工場及び施設などで扱われる電気機器や充電機器においても同様の効果が得られる。
【０２９０】
また、本発明をプログラムとして記憶媒体や通信媒体によって配布し、サーバやパーソナルコンピュータ、電気機器のマイクロコンピュータにインストールして実行させてもよい。
【産業上の利用可能性】
【０２９１】
本発明に係る電気機器、電気機器制御方法、電気機器制御プログラム及び電気機器制御装置は、ユーザが希望運転時刻を入力しなくても、現在時刻から所定時間までの時刻において電力料金の安い時間帯に家電機器を運転することができ、ユーザの利便性を向上させ
ることができ、ユーザにより指定された運転開始時刻を変更する電気機器、電気機器制御方法、電気機器制御プログラム及び電気機器制御装置に有用である。
【符号の説明】
【０２９２】
１  家電機器
２  機器制御装置
３  センサ装置
５  第１の家電機器
１１  運転情報取得部
１２  運転情報記憶部
１３  運転情報読出部
１４  通信部
１５  電力料金情報取得部
１６  運転時刻算出部
１７  電気代算出部
１８  順位付与部
１９  報知部
２０  運転時刻選択受付部
２１  運転時刻記憶部
２２  時計部
２３  運転制御部
２４  時間差算出部
２５  所定時間設定部
２６  運転時刻分析部
２７  センサ情報分析部
３１  宅内通信部
３２  通信部
３３  電力料金情報取得部
３４  運転時刻算出部
３５  電気代算出部
３６  順位付与部
３７  報知部
３８  運転時刻選択受付部
３９  運転時刻記憶部
４０  時計部
４１  家電機器遠隔制御部
４２  時間差算出部
５１  運転情報取得部
５２  運転情報記憶部
５３  運転情報読出部
５４  宅内通信部
５５  運転制御部
【図１】
0005516431.tif 000002
【図２】
0005516431.tif 000003
【図３】
0005516431.tif 000004
【図４】
0005516431.tif 000005
【図５】
0005516431.tif 000006
【図６】
0005516431.tif 000007
【図７】
0005516431.tif 000008
【図８】
0005516431.tif 000009
【図９】
0005516431.tif 000010
【図１０】
0005516431.tif 000011
【図１１】
0005516431.tif 000012
【図１２】
0005516431.tif 000013
【図１３】
0005516431.tif 000014
【図１４】
0005516431.tif 000015
【図１５】
0005516431.tif 000016
【図１６】
0005516431.tif 000017
【図１７】
0005516431.tif 000018
【図１８】
0005516431.tif 000019
【図１９】
0005516431.tif 000020
【図２０】
0005516431.tif 000021
【図２１】
0005516431.tif 000022
【図２２】
0005516431.tif 000023